(57)【要約】【課題】  物品の内部に設けられると共に、外側から点滅発光を制御する物品の点滅発光装置を提供する。【解決手段】  複数の発光モジュールを有するプログラム制御器と、該プログラム制御器の出力端と接続する複数の発光ダイオードと、夫々プログラム制御器と発光ダイオードと接続する電池と、少なくとも二個のスイッチからなり、プログラム制御器と発光ダイオードの間に設けられると共に、コードによって物品の外側に延設するスイッチ組とを備えることを特徴とする。【選択図】  図１
0003111260.tif 000002
【実用新案登録請求の範囲】
【請求項１】
複数の発光モジュールを有するプログラム制御器と、
該プログラム制御器の出力端と接続する複数の発光ダイオードと、
夫々プログラム制御器と発光ダイオードと接続する電池と、
少なくとも二個のスイッチからなり、プログラム制御器と発光ダイオードの間に設けると共に、コードによって物品の外側に延設するスイッチ組とを備えることを特徴とする、
物品の点滅発光装置。
【請求項２】
前記スイッチ組における一方のスイッチは、電池とプログラム制御器との間に設けると共に、電源を制御するスイッチであり、
他方のスイッチは、プログラム制御器のKEY端と電池のマイナス端との間に設けると共に、発光モジュールを制御するスイッチであり、
該点滅発光装置は電池ケースに収容する回路板に設置し、該回路板のプログラム制御器をコードとコネクタによって発光ダイオードと接続し、又、前記回路板に電池を収容するため電池座が設けられ、
前記物品は、光通過素材のソール、中底及びバンプからなるスポーツシューズであり、
該ソールの上面に溝と複数のスリットを形成し、該溝に電池ケースを収容すると共に、該スリットに発光ダイオードを収容し、
前記中底はソールの上面を覆い、中央に少なくともコードを貫通するため第１開口と第２開口を形成し、
コードが発光ダイオードと接続するためバンプに設けられ、コードをスポーツシューズの外側におけるスイッチ組と接続し、
又、前記第２開口に開閉自在なカバーを設けることにより、電池ケースにおける電池を交換し、
前記バンプに発光ダイオードを設けると共に、コードによってソールにおける回路板と接続したことを特徴とする、
請求項１に記載の物品の点滅発光装置。
【請求項３】
前記スイッチ組における一方のスイッチは、電池とプログラム制御器との間に設けられると共に、電源を制御するスイッチであり、
他方のスイッチは、プログラム制御器のKEY端と電池のマイナス端との間に設けられると共に、発光モジュールを制御するスイッチであり、
該点滅発光装置を電池ケースに収容する回路板に設置し、該回路板のプログラム制御器をコードとコネクタによって発光ダイオードと接続し、又、前記回路板に電池を収容するため電池座を設け、
前記物品は、バッグ本体と肩ひもからなるショルダーバッグであり、バッグ本体又は肩ひもに光通過部を設け、該光通過部の内部に発光ダイオードを設け、前記スイッチ組のスイッチを肩ひもに設け、又、回路板を電池ケースによってバッグ本体の内部、バッグ本体又は肩ひもにおける光通過部の内部に設けることを特徴とする、
請求項１に記載の物品の点滅発光装置。
【考案の詳細な説明】
【技術分野】
【０００１】
本考案は、特に物品の内部に設けられると共に、外側から点滅発光を制御する物品の点滅発光装置に関するものである。
【背景技術】
【０００２】
スポーツシューズやショルダーバッグなどの物品に集積回路の制御器を有する点滅発光装置を設けることにより、物品を点滅発光させることができる。
例えば、スポーツシューズにおいては、複数の発光ダイオードと接続される制御器、振動スイッチ及び電池を中底に設けることにより、歩く時、スポーツシューズから点滅発光させることができる。
【考案の開示】
【考案が解決しようとする課題】
【０００３】
しかしながら、前記従来の物品の点滅発光装置は以下に示すような欠点を有する。
１、  従来の物品の点滅発光装置は、物品が動いている状態の時しか点滅発光しないため、物品が動かない状態で、該点滅発光装置が発光できない。
２、  従来の物品の点滅発光装置における電池は、物品の内部に固設するため、電池が切れた際、該電池を交換することができないことにより、該点滅発光装置が発光できない。
３、  従来の物品の点滅発光装置は、ON、OFFの制御しかできない振動スイッチにより点滅発光するため、制御器の制御モジュールが単一のモジュールしか有しないので、視覚効果が悪いという問題を有する。
【０００４】
そこで、案出されたのが本考案であって、物品の内部に設けられると共に、外側から発光を制御する物品の点滅発光装置を提供することを目的としている。
【課題を解決するための手段】
【０００５】
本願の請求項１の考案は、複数の発光モジュールを有するプログラム制御器と、該プログラム制御器の出力端と接続する複数の発光ダイオードと、夫々プログラム制御器と発光ダイオードと接続する電池と、少なくとも二個のスイッチからなり、プログラム制御器と発光ダイオードの間に設けられると共に、コードによって物品の外側に延設するスイッチ組とを備えることを特徴とする物品の点滅発光装置、を提供する。
【０００６】
本願の請求項２の考案は、前記スイッチ組における一方のスイッチは、電池とプログラム制御器との間に設けられると共に、電源を制御するスイッチであり、他方のスイッチは、プログラム制御器のKEY端と電池のマイナス端との間に設けられると共に、発光モジュールを制御するスイッチであり、
該点滅発光装置は電池ケースに収容する回路板に設置され、該回路板のプログラム制御器がコードとコネクタによって発光ダイオードと接続され、又、前記回路板に電池を収容するため電池座が設けられ、
前記物品は、光通過素材のソール、中底及びバンプからなるスポーツシューズであり、該ソールの上面に溝と複数のスリットが形成され、該溝に電池ケースを収容すると共に、該スリットに発光ダイオードを収容し、
前記中底はソールの上面を覆い、中央に少なくともコードを貫通するため第１開口と第２開口が形成され、コードが発光ダイオードと接続するためバンプに設けられ、コードがスポーツシューズの外側におけるスイッチ組と接続され、又、前記第２開口に開閉自在なカバーが設けられることにより、電池ケースにおける電池を交換し、
前記バンプに発光ダイオードが設けられると共に、コードによってソールにおける回路板と接続されることを特徴とする請求項１に記載の物品の点滅発光装置、を提供する。
【０００７】
本願の請求項３の考案は、前記スイッチ組における一方のスイッチは、電池とプログラム制御器との間に設けられると共に、電源を制御するスイッチであり、他方のスイッチは、プログラム制御器のKEY端と電池のマイナス端との間に設けられると共に、発光モジュールを制御するスイッチであり、
該点滅発光装置は電池ケースに収容する回路板に設置され、該回路板のプログラム制御器がコードとコネクタによって発光ダイオードと接続され、又、前記回路板に電池を収容するため電池座が設けられ、
前記物品は、バッグ本体と肩ひもからなるショルダーバッグであり、バッグ本体又は肩ひもに光通過部が設けられ、該光通過部の内部に発光ダイオードが設けられ、前記スイッチ組のスイッチは肩ひもに設けられ、又、回路板を電池ケースによってバッグ本体の内部、バッグ本体又は肩ひもにおける光通過部の内部に設けることを特徴とする請求項１に記載の物品の点滅発光装置、を提供する。
【考案の効果】
【０００８】
本考案は上記の課題を解決するものであり、複数の発光モジュールを有するプログラム制御器と、該プログラム制御器の出力端と接続すると共に、異なる色を有する複数の発光ダイオードと、夫々プログラム制御器と発光ダイオードと接続する電池と、少なくとも二個のスイッチからなり、プログラム制御器と発光ダイオードの間に設けられると共に、コードによって物品の外側に延設するスイッチ組とを備えることにより、物品の外側から点滅発光を制御することができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係る物品の点滅発光装置の回路図であり、図２は本考案に係る物品の点滅発光装置をスポーツシューズに使用する状態を示す分解斜視図であり、図３は本考案に係る物品の点滅発光装置をスポーツシューズに使用する状態を示す斜視図であり、図４は本考案に係る物品の点滅発光装置をショルダーバッグに使用する状態を示す斜視図である。
【００１１】
図１に示すように、本考案に係る物品の点滅発光装置は、複数の発光モジュールを有するプログラム制御器１０と、該プログラム制御器１０の出力端L１〜L３と接続すると共に、異なる色を有する複数の発光ダイオード１１と、夫々プログラム制御器１０と発光ダイオード１１と接続する電池１２と、少なくとも二個のスイッチ２１、２２からなり、プログラム制御器１０と発光ダイオード１１の間に設けられると共に、コードによって物品の外側に延設するスイッチ組２０とを備える。
【００１２】
前記スイッチ組２０における一方のスイッチ２１は、電池１２とプログラム制御器１０との間に設けられると共に、電源を制御するスイッチであり、他方のスイッチ２２は、プログラム制御器１０のKEY端と電池１２のマイナス端との間に設けられると共に、発光モジュールを制御するスイッチであり、又、該スイッチ２２はトグルスイッチ又はシーンスイッチである。
【００１３】
又、図２示すように、本考案に係る物品の点滅発光装置をスポーツシューズ３０に使用する場合、該点滅発光装置は電池ケース１０１に収容する回路板１００に設置され、該回路板１００のプログラム制御器がコード１０２によって発光ダイオード１１と直接に接続され、又はコード１０５とコネクタ１０３、１０４によって発光ダイオード１１と間接的に接続され、又、前記コード１０５とコネクタ１０３、１０４が夫々回路板１００とスイッチ組２０と接続され、前記回路板１００に電池１２を収容するため電池座１０６が設けられる。
【００１４】
又、図２及び図３に示すように、前記スポーツシューズ３０は、光通過素材のソール３１、中底３２及びバンプ３３からなり、該ソール３１の上面に溝３１１と複数のスリット３１２を形成し、該溝３１１に電池ケース１０１を収容すると共に、該スリット３１２に発光ダイオード１１を収容する。
【００１５】
前記中底３２はソール３１の上面を覆い、中央に少なくともコード１０２、１０５を貫通するため第１開口３２１と第２開口３２２が形成され、コード１０２が発光ダイオード１１と接続するためバンプ３３に設けられ、コード１０５がスポーツシューズ３０の外側におけるスイッチ組２０と接続され、又、前記第２開口３２２に開閉自在なカバー３２３が設けられることにより、電池ケース１０１における電池１２を交換することができる。
【００１６】
前記バンプ３３に発光ダイオード１１が設けられると共に、コード１０２によってソール３１における回路板１００と接続される。
【００１７】
図４に示すように、本考案に係る物品の点滅発光装置をショルダーバッグ４０に使用する場合、該ショルダーバッグ４０は、バッグ本体４１と肩ひも４２からなり、バッグ本体４１又は肩ひも４２に光通過部４３が設けられる。
該光通過部４３の内部に発光ダイオード１１が設けられ、前記スイッチ組２０のスイッチ２１、２２は肩ひも４２に設けられ、又、回路板１００を電池ケース１０１によってバッグ本体４１の内部に設けてよく、或いはバッグ本体４１又は肩ひも４２における光通過部４３の内部に設けてもよい。
【００１８】
又、ショルダーバッグ４０にブランドなど光通過可能のマーク４４が設けられ、前記発光ダイオード１１がコード１０２によってマーク４４の内側に設けられることにより、マークも点滅発光できる。
【産業上の利用可能性】
【００１９】
本考案は上記の構成を有するので、複数の発光モジュールを有するプログラム制御器と、該プログラム制御器の出力端と接続すると共に、異なる色を有する複数の発光ダイオードと、夫々プログラム制御器と発光ダイオードと接続する電池と、少なくとも二個のスイッチからなり、プログラム制御器と発光ダイオードの間に設けられると共に、コードによって物品の外側に延設するスイッチ組とを備えることにより、物品の外側から点滅発光を制御することができる。
【図面の簡単な説明】
【００２０】
【図１】本考案に係る物品の点滅発光装置の回路図である。
【図２】本考案に係る物品の点滅発光装置をスポーツシューズに使用する状態を示す分解斜視図である。
【図３】本考案に係る物品の点滅発光装置をスポーツシューズに使用する状態を示す斜視図である。
【図４】本考案に係る物品の点滅発光装置をショルダーバッグに使用する状態を示す斜視図である。
【符号の説明】
【００２１】
１０        プログラム制御器
１００      回路板
１０１      電池ケース
１０２      コード
１０３      コネクタ
１０４      コネクタ
１０５      コード
１０６      電池座
１１        発光ダイオード
１２        電池
２０        スイッチ組
２１        スイッチ
２２        スイッチ
３０        スポーツシューズ
３１        ソール
３１１      溝
３１２      スリット
３２        中底
３２１      第１開口
３２２      第２開口
３２３      カバー
３３        バンプ
４０        ショルダーバッグ
４１        バッグ本体
４２        肩ひも
４３        光通過部
４４        マーク
【図１】
0003111260.tif 000003
【図２】
0003111260.tif 000004
【図３】
0003111260.tif 000005
【図４】
0003111260.tif 000006